(57)【要約】【課題】 防振材の効果低減の恐れがなく、しかも、地震時の浮き床の損害が防止可能な防振用床支持脚構造およびこのような床支持脚構造を強固にかつ調整容易に施工する方法を提供する。【解決手段】  防振用床支持脚構造は、防振材3と、防振材3上に立設されかつ下端に防振材3に圧接する金属板4を有する支持脚5と、防振材3を囲む有底筒状カバー6とを備えてなる。床基盤1の防振用床支持脚構造設置位置に置かれた接着剤8に上からカバー6付き床支持脚構造を押し付けることにより、支持脚構造を床スラブ1に固定する。【選択図】    図１
2005207190.tif 000002
【特許請求の範囲】
【請求項１】
防振材およびその上に立設された支持脚を有する防振用床支持脚構造において、防振材を
囲むように筒状カバーが設けられていることを特徴とする防振用床支持脚構造。
【請求項２】
防振材およびその上に立設された支持脚を有する防振用床支持脚構造を床基盤上に設置し
て浮き床を支持する際の施工方法であって、防振材を筒状カバーで囲むとともに、支持脚
の上端部により浮き床を支持し、床基盤の床支持脚構造設置位置に配された接着剤にカバ
ー付き床支持脚構造の下端面を上から押し付けることにより、床支持脚構造を床基盤に固
定することを特徴とする防振用床支持脚構造の施工方法。
【発明の詳細な説明】
【技術分野】
【０００１】
本発明は、浴室や二重床のような浮き床における防振用床支持脚構造およびその施工方
法に関する。
【背景技術】
【０００２】
近年、集合住宅などにおいて、構造躯体として大型のスラブが用いられることが多い。
大型のスラブの使用は、間取り設計の自由度を増し、大空間の設計を可能にするなどの利
点がある反面、上階に浴室があり下階に居室がある場合、とりわけこれらが同一スパン内
に存在する場合、上階の浴室で発生した床衝撃音が下階の居室に騒音として伝わる恐れが
ある。居室の直上に浴室が存在する場合、浴室で発生した床衝撃音が騒音として真下の居
室に直に伝わる恐れがある。そのため、浴室で発生した床衝撃音を騒音として他の場所へ
伝搬するのを効果的に防ぐことができる防振用床支持脚の要望が高まって来ている。
【０００３】
従来、このような防振用床支持脚構造として、特許文献１には、図３に示すように、ゴ
ム等の弾性体からなる防振材(11)およびその上に立設されたボルト支持脚(12)を有し床ス
ラブ（床基盤）(1)上に設置されて浴室ユニットの床などの浮き床(2)を支持するものが提
案されている。
【特許文献１】特開平９−１０５１６４号公報
【発明の開示】
【発明が解決しようとする課題】
【０００４】
上記特許文献１の防振用床支持脚構造は、接着剤(8)により床基盤(1)に固定されるが、
この際、図３に示すように、接着剤(8)が支持脚(12)の下端部に掛かってしまい、浮き床(
2)側の振動が接着剤(8)を介して床基盤(1)上に伝達され、防振材(11)の効果が低減すると
いう問題があった。
【０００５】
上記特許文献１の防振用床支持脚構造は、また、地震時には、防振材(11)が水平方向に
大きく変形し、浮き床(2)に損害（床パネルの周辺固定構造の破壊、浴室ユニットの周辺
シールの破壊など）が出るという問題もあった。
【０００６】
また、上記特許文献１の防振用床支持脚構造の施工時の問題点として、例えば浴室ユニ
ットを施工する際に、浴室ユニットを設置した後、作業者の手が届く範囲の支持脚だけが
接着剤で接着されて、残りの支持脚を接着できないことがあり、強固な接着ができないと
いう問題もあった。
【０００７】
本発明は、防振材の効果低減の恐れがなく、しかも、地震時の浮き床の損害が防止可能
な防振用床支持脚構造およびこのような支持脚構造を強固にかつ調整容易に施工する方法
を提供することを目的とする。
【課題を解決するための手段】
【０００８】
この発明による防振用床支持脚構造は、防振材およびその上に立設された支持脚を有す
る防振用床支持脚構造において、防振材を囲むように筒状カバーが設けられていることを
特徴とするものである。
【０００９】
この発明による防振用床支持脚構造の施工方法は、防振材およびその上に立設された支
持脚を有する防振用床支持脚構造を床基盤上に設置して浮き床を支持する際の施工方法で
あって、防振材を筒状カバーで囲むとともに、支持脚の上端部により浮き床を支持し、床
基盤の床支持脚構造設置位置に配された接着剤にカバー付き床支持脚構造の下端面を上か
ら押し付けることにより、床支持脚構造を床基盤に固定することを特徴とするものである
。
【００１０】
防振材は、特に限定されるものではなく、ゴム（天然ゴムまたは合成ゴム）または熱可
塑性合成樹脂（塩素含有樹脂、スチレン含有樹脂など）等からなる弾性体とされ、その形
状は、例えば、円板、ドーナッツ板、直方体ブロック、円錐状ブロック、角錐状ブロック
等とされる。
【００１１】
支持脚は、特に限定されるものではなく、例えば、市販のボルトがそのまままたはボル
ト頭部に金属板等が固定されるなどして使用される。
【００１２】
筒状カバーの形状は、防振材の形状に合わせて適宜決定され、防振材が円板の場合には
、内径が防振材の外径にほぼ等しい円筒状とされ、防振材が直方体ブロックの場合には、
ブロックの底面とほぼ同じ形状の断面形状を有する角筒状とされ、防振材が円錐状ブロッ
クまたは角錐状ブロックの場合には、ブロックの外周面とほぼ同じ形状の内周面を有する
筒状とされる。筒状カバーは、底壁部を有する有底筒状とされることがあり、底壁部を有
していない両端開口の筒状とされることもある。筒状カバーの高さは、特に限定されない
が、これを防振材の厚みの数倍とするとともに、カバーの高さ近くまで接着剤を配するこ
とにより、床基盤への固定を強固なものとすることができる。筒状カバーの材質は、特に
限定されないが、例えば鉄製などの金属製であることが好ましい。
【００１３】
施工時に使用される接着剤としては、例えば、モルタルボンドが使用されるが、これに
限定されるものではなく、ウレタン接着剤などの接着剤を使用してもよい。
【発明の効果】
【００１４】
この発明の防振用床支持脚構造によると、防振材を囲むように筒状カバーが設けられて
いるので、この床支持脚構造を設置する際に、接着剤は、筒状カバーの外周と床基盤上と
の間に配されることになり、階上で発生した衝撃音が接着剤を介して伝達されることはな
く、防振材の効果が低減しない。したがって、階上で発生した衝撃音が階下へ伝わるのを
効果的に防ぐことができる。また、防振材の水平方向の変形がカバーによって規制される
ので、地震時の防振材の大きな変形が防止され、この変形によって生じる浮き床の損害を
防ぐことができる。さらにまた、カバーの高さ近くまで接着剤を配することができるので
、床基盤への接着を強固に行うことができる。
【００１５】
この発明の防振用床支持脚構造の施工方法によると、防振材を筒状カバーで囲むととも
に、床基盤の床支持脚構造設置位置に配された接着剤に上からカバー付き床支持脚構造を
押し付けることにより、支持脚構造を床基盤に固定するので、接着剤は、筒状カバーの外
周と床基盤上との間に配されることになり、階上で発生した衝撃音が接着剤を介して伝達
されることはなく、防振材の効果が低減しない。したがって、階上で発生した衝撃音が階
下へ伝わるのを効果的に防ぐことができる。また、広い面積の床でもすべての位置で接着
が可能であり、しかも、カバーの高さ近くまで接着剤を配することができるので、床基盤
への固定を強固なものとすることができる。さらにまた、床基盤の傾斜や凹凸が施工後の
接着剤の厚みによって調整されるので、床基盤の不陸に対応するための支持脚の高さ調整
が不要になる。
【発明を実施するための最良の形態】
【００１６】
つぎに、本発明を具体的に説明するために、本発明の１実施形態、具体的実施例および
これとの比較を示すための比較例をいくつか挙げる。
【００１７】
図１および図２において、防振用床支持脚構造は、二階建の住宅の二階の床スラブ（床
基盤）(1)上に設置されて床下地材（浮き床）(2)を支持するもので、ドーナッツ板状の防
振材(3)と、防振材(3)上に立設されかつ下端に防振材(3)に圧接する金属円板(4)を有する
支持脚(5)と、防振材(3)を囲む有底筒状カバー(6)とを備えてなる。
【００１８】
支持脚(5)の上端部は雄ネジ(5a)になっており、雄ネジ(5a)にナット(7)が螺合されてい
る。
【００１９】
有底筒状カバー(6)は、金属製で、その底壁(6a)上面が防振材(3)の下面に当接させられ
ており、その周壁(6b)下端部が防振材(3)の外周を囲んでいる。支持脚(5)の金属円板(4)
の外径は、カバー(6)に接しないようにカバー(6)の内径よりも小さくされており、防振材
(3)の外径は、防振材(3)が水平方向に変形した際に、カバー(6)によってその変形が規制
されるように、カバー(6)の内径よりも若干小さくされている。
【００２０】
この床支持脚構造は、筒状カバー(6)の周壁(6b)外周と床スラブ(1)上との間に配された
接着剤(8)により、床スラブ(1)に固定される。
【００２１】
上記構成の複数の防振用床支持脚構造によって床下地材(2)が支えられ、床下地材(2)上
の床に例えば市販の浴室ユニット（積水化学社製、「ＦＰＮ−１２１６」）が据え付けら
れる。
【００２２】
上記防振用床支持脚構造を施工するには、浴室ユニットを設置した後に、接着剤(8)を
筒状カバー(6)の周壁(6b)外周と床スラブ(1)上との間に配すればよいが、この構造が筒状
カバー(6)を有していることを利用して、図２に示すように行うこともできる。すなわち
、支持脚(5)の上端部により床下地材(2)を支持するとともに、床スラブ(1)の床支持脚構
造設置位置に接着剤(8)を予め配しておき、この接着剤(8)にカバー(6)付き床支持脚構造
の下端面（図示した例では、カバー(6)の底壁(6a)の下面、カバー(6)に底壁を設けない場
合は、防振材(3)の下面）を上から押し付ければよく、これにより、床支持脚構造が床ス
ラブ(1)上に固定される。
【００２３】
実施例１
防振材(3)を天然ゴム（ゴム硬度５０）製とし、その直径を４６ｍｍ、厚みを１０ｍｍ
とするとともに、支持脚(5)をＭ１６ボルトとし、防振材(3)を外径５０ｍｍ、厚さ２ｍｍ
、高さ１００ｍｍの鉄製有底円筒カバー(6)で囲い、図２に示した施工方法により、床支
持脚構造を床スラブ（床基盤）(1)に接着剤としてのモルタルボンド(8)により固定した。
【００２４】
比較例１
防振用床支持脚構造は、防振材(3)をカバー(6)で囲わない以外、実施例１のものと同じ
である。
【００２５】
比較例２
防振用床支持脚構造は、接着剤(8)をウレタン接着剤とした以外、比較例１のものと同
じである。
【００２６】
＜遮音性試験＞
床基盤の厚さ１５０ｍｍ、床面積１２ｍ２ の二階建の住宅で一階を５０ｍ３ の残響室
とした評価棟において、二階において浴室（浴槽２４０ｋｇ、洗場１２０ｋｇ）の床を軽
量床衝撃音発生装置（タッピングマシーン）を用いて加振し、一階の高さ１．５ｍの５か
所にて軽量床衝撃音（１０秒平均値（Ｌｅｑ）の３回平均）を計測し、Ａ特性（ｄＢ）で
示した。
【００２７】
実施例１、比較例１および比較例２の階下騒音を表１に示す。
【表１】
2005207190.tif 000003
【００２８】
表１から明らかなように、実施例による防振用床支持脚構造は、階下騒音が良好な値を
示しており、接着剤(8)を介して伝わる振動が筒状カバー(6)を使用することによって抑制
され、防振材(3)の効果が低減されないことが確認された。
【００２９】
なお、上記実施形態において、防振材(3)をドーナッツ板としたが、防振材の形状は、
これに限られるものではない。また、支持脚(5)の形状についても種々変更が可能であり
、例えば、支持脚(5)の金属円板(4)部分を省略してもよく、支持脚を円筒状にしてその内
部に補助脚を保持した構成としてもよい。さらにまた、防振材(3)は、天然ゴム製に代え
て、ポリ塩化ビニルエラストマー（積水化学工業社製、「セキスイコンパウンドＳ２０４
Ｔ」）製としてもよい。
【図面の簡単な説明】
【００３０】
【図１】この発明の防振用床支持脚構造を示す垂直断面図である。
【図２】この発明の防振用床支持脚構造の施工方法を示す垂直断面図である。
【図３】従来の防振用床支持脚構造を示す垂直断面図である。
【符号の説明】
【００３１】
(1)：床基盤
(2)：床下地材（浮き床）
(3)：防振材
(5)：支持脚
(6)：筒状カバー
(8)：接着剤
【図１】
2005207190.tif 000004
【図２】
2005207190.tif 000005
【図３】
2005207190.tif 000006